(57)【特許請求の範囲】
【請求項１】
軟質フィルムを重ねて上端部に袋口を有する扁平な袋体に成形し、該袋体の左右の側縁をヒートシールして溶着帯を形成し、前記袋口外周部に硬質プラスチック製のヘッダを貼着し、該ヘッダ下部の前記溶着帯に左右一対の指掛け用切欠部若しくは切り込み部を形成し、かつ前記ヘッダの下部に剥離紙で覆った粘着テープを貼着したことを特徴とする採尿袋。
【請求項２】
軟質フィルムを重ねて上端部に袋口を有する扁平な袋体に成形し、前記袋口外周部に硬質プラスチック製のヘッダを貼着し、前記ヘッダ又は前記袋体の左右の側縁をヒートシールして形成した溶着帯に左右一対の穴を形成し、かつ前記ヘッダの下部に剥離紙で覆った粘着テープを貼着した採尿袋と、前記一対の穴に挿通可能な二股状の先端部を有するハンドルとを備え、一対の穴に二股状の先端部を挿通してハンドルで前記採尿袋をつり下げるようにしたことを特徴とする採尿具。
【発明の詳細な説明】
【０００１】
【発明の属する技術分野】
本発明は採尿袋及び採尿具に関する。
【０００２】
【従来の技術】
採尿手段の一形式として、従来より紙製コップが広く用いられている。また、特開平１０−１７４７０１号公報には筒体の下部に袋体を取り付けた採尿具が開示されている。
【０００３】
【発明が解決しようとする課題】
上記したコップ形の採尿具や筒体と袋体からなる採尿具は、外出先で使用する場合、嵩張るだけでなく、こぼれ易いため採尿後の保管や持ち運には甚だ不便である。
本発明はかかる問題点に鑑み、採尿後の保管や持ち運びに便利で外出先での採尿が容易にできる採尿袋及び採尿具を提供することを目的とする。
【０００４】
【課題を解決するための手段】
請求項１に記載の発明に係る採尿袋は、軟質フィルムを重ねて上端部に袋口を有する扁平な袋体に成形し、該袋体の左右の側縁をヒートシールして溶着帯を形成し、前記袋口外周部に硬質プラスチック製のヘッダを貼着し、該ヘッダ下部の前記溶着帯に左右一対の指掛け用切欠部若しくは切り込み部を形成し、かつ前記ヘッダの下部に剥離紙で覆った粘着テープを貼着したことを特徴とする。
請求項２に記載の発明に係る採尿具は、軟質フィルムを重ねて上端部に袋口を有する扁平な袋体に成形し、前記袋口外周部に硬質プラスチック製のヘッダを貼着し、前記ヘッダ又は前記袋体の左右の側縁をヒートシールして形成した溶着帯に左右一対の穴を形成し、かつ前記ヘッダの下部に剥離紙で覆った粘着テープを貼着した採尿袋と、前記一対の穴に挿通可能な二股状の先端部を有するハンドルとを備え、一対の穴に二股状の先端部を挿通してハンドルで前記採尿袋をつり下げるようにしたことを特徴とする。
【０００５】
【発明の作用・効果】
請求項１に記載の発明に係る採尿袋の使用方法は、ヘッダの左右両端を指で抑えて袋口を開き、尿を袋内に注入する。注入するとき切欠部もしくは切込部に指を掛けて尿の重さを支える。尿注入後、ヘッダを芯にして袋口を巻き込んで閉じ、剥離紙を剥がして露出した粘着テープで袋口を封鎖する。
本発明に係る採尿袋は軟質フィルムで扁平に成形したので、嵩張らず外出時に携帯できる。また、採尿した後、袋口を粘着テープで封鎖するので、外出先で採尿して持ち帰ることができる。さらに、袋口に硬質プラスチック製のヘッダを貼着したので、袋口を開いた状態に保持しやすく、採尿が容易になる。また、指掛け用の切欠部若しくは切り込み部を形成したので、採尿時に尿の重みで採尿袋が手から滑り落ちるのを防止できる。
請求項２に記載の発明に係る採尿具の使用方法は、ヘッダの左右両端を指で押さえて袋口を開き、ハンドルの二股状先端部を穴に通して採尿袋をハンドルにつり下げる。袋口はハンドルの二股状先端部によって開いた状態に保持されるので、ハンドルを掴んで採尿袋を局部に近づけ、尿を注入する。
本発明に係る採尿具は、採尿袋に軟質フィルムで扁平に成形したものを用いるので、嵩張らず外出時に携帯できる。また、採尿した後、袋口を粘着テープで封鎖するので、外出先で採尿して持ち帰ることができる。さらに、袋口に硬質プラスチック製のヘッダを貼着したので、袋口を開け易い。
とりわけ本発明に係る採尿具では、二股状先端部を有するハンドルを使って採尿袋を吊り下げることができるので、女性でも外出先で容易に採尿することができ、使い勝手が良い。
【０００６】
【発明の実施の形態】
以下に本発明を図面に基づき説明するに、図１及び図２には本発明に係る採尿袋の第１実施形態が示されている。
図１及び図２に示すように、当該採尿袋１０は伸延性の軟質フィルムを折り重ね、左右両縁をヒートシールして上端部に袋口１１を有する偏平な袋体に成形されている。
ヒートシールにより形成された左右の溶着帯１２の中間部には内側へ突出する幅広の溶着帯１２ａを形成して袋内部に漏斗形の尿導入部１０ａと、これに連通する蓄尿部１０ｂを区画形成している。
【０００７】
袋口１１の外周部には硬質プラスチック製のヘッダ１３が表裏両面に貼着されている。表裏２枚のヘッダ１３は左右の溶着帯１２において接着されている。ヘッダ１３下部の幅広溶着帯１２ａには指掛け用の半円形切欠部１４が左右対を成すように形成されている。そして、切欠部１４の下部に、剥離紙１５で粘着面を覆った粘着テープ１６が貼着されている。
また、溶着帯１２の採尿袋底面から少し上右端部分に破袋用の切り込み１７形成されている。
【０００８】
第１実施形態に係る採尿袋１０の構造は以上の通りであって、次にその使用方法を説明する。
図３に示すようにヘッダ１３の、溶着帯１２に接着されている左右両端を親指と人差し指で抑えて袋口１１を開き、尿を尿導入部１０ａを通して蓄尿部１０ｂに注入する。注入するとき切欠部１４に中指を掛けて尿の重みを支える。尿注入後、表裏のヘッダ１３を重ね合わせて袋口１１を閉じ、重ねたヘッダ１３を芯にして袋口１１を巻き込み、ついで剥離紙１５を剥がして露出した粘着テープ１６で袋口１１を封鎖する。
採尿袋１０に封入した尿は検尿時、底部の切り込み部１７から蓄尿部１０ｂを破ってコップ等に注ぐ。
【０００９】
第１実施形態に係る採尿袋１０は軟質フィルムで扁平に成形したので、嵩張らず外出時に携帯できる。また、採尿した後、袋口１１を粘着テープ１５で封鎖できるので、外出先で採尿して持ち帰ることができる。さらに、袋口１１に硬質プラスチック製のヘッダ１３を貼着したので、袋口１１を開いた状態に保持しやすく、採尿が容易になる。また、指掛け用の切欠部１４を形成したので、採尿時に尿の重みで採尿袋１０が手から滑り落ちるのを防止できる。
【００１０】
本発明に係る採尿袋の第２実施形態を図４に示す。第１実施形態に係る採尿袋１０では、半円形の指掛け用切欠部１４を溶着帯に形成したが、図に示す第２実施形態に係る採尿袋１０１では、これに代えてヘッダ１３下部の左右の溶着帯に指掛け用の切り込み部１７ａ，１７ｂを上下２箇所に形成している。
この実施形態に係る採尿１０１袋を使用して採尿するときは、切り込み部１７ａ，１７ｂから溶着帯１２を撓めて切り込み部１７ａ，１７ｂに指を掛け、尿の重みを指で支える。
なお、第２実施形態に係る採尿袋１０１の他の構成は第１実施形態に係る採尿袋１０と同じであるので、同一の構成要素には同一の符号を付して説明を省略する。
【００１１】
次に、本発明係る採尿具の第１実施形態を図５に示す。当該採尿具２０は採尿袋１０２と二股状の先端部を有するハンドル２１で構成される。
採尿袋１０２の左右の溶着帯１２には二股状先端部２２を通すことができるように、対を成す穴１９が形成されている。この採尿袋１０２の他の構成は第１実施形態に係る採尿袋１０と同じであるので、同一の構成要素には同一の符号を付して説明を省略する。
ハンドル２１の二股状先端部２２の間隔は採尿袋１０２が扁平な状態のときの両穴１９の間隔より短く設定され上に屈曲している。
【００１２】
第１実施形態に係る採尿具の構造は以上の通りであって、ヘッダ１３の左右両端を指で押さえて袋口１１を開き、間隔の狭められた両方の穴１９にハンドル２１の二股状先端部２２を通して採尿袋１０２をハンドル２１につり下げ、ハンドル２１を掴んで採尿袋１０２を局部に近づけ、尿を注入する。
【００１３】
本実施形態に係る採尿具では、二股状先端部２２を有するハンドル２１を使って採尿袋１０２を、吊り下げることができるので、女性でも外出先で容易に採尿することができ、使い勝手が良い。
また、二股状の先端部２２を屈曲させたので、採尿袋１０２をハンドル２１で吊り下げるとき、ハンドル２１から滑り落ちるのを防止できる。
【００１４】
本発明の第２実施形態に係る採尿具を図６に示す。当該採尿具３０を構成する採尿袋１０３では、ハンドル２１の二股状先端部２２を通す左右の穴１９がヘッダ１３の端部に形成されている。
第２実施形態に係る採尿具３０によれば、ヘッダ１３の左右両端を指で押さえて袋口１１を開き、ヘッダ１３に形成した穴１９にハンドル２１の二股状先端部２２を通す。
こうすることにより、採尿袋１０３はヘッダ１３から指を離しても袋口１１を開いた状態のままハンドル２１から吊り下げることができるので、より使い勝手が向上する。
【図面の簡単な説明】
【図１】本発明に係る採尿袋の第１実施形態を示す一部破断した正面図である。
【図２】図１の２−２線から切断して断面図である。
【図３】同採尿袋の使用方法を示す斜視図である。
【図４】本発明に係る採尿袋の第２実施形態を示す斜視図である。
【図５】本発明に係る採尿具の第１実施形態を示す斜視図である。
【図６】本発明に係る採尿具の第２実施形態を示す斜視図である。
【符号の説明】
１０…採尿袋、１１…袋口、１２…溶着帯、１３…ヘッダ、１４…指掛け用切欠部、１５…剥離紙、１６…粘着テープ、１８ａ，１８ｂ…指掛け用切り込み部、２０，３０…採尿具、１９…穴、２１…ハンドル、２２…二股状先端部、１０２，１０３。
【図１】
0003605569.tif 000002
【図２】
0003605569.tif 000003
【図３】
0003605569.tif 000004
【図４】
0003605569.tif 000005
【図５】
0003605569.tif 000006
【図６】
0003605569.tif 000007